(57)【要約】      （修正有）【課題】貴石を備える時計用植字を製造する際、その製造を容易に行なうことが可能な構造を有する時計用植字、かかる時計用植字を備える時計用文字板、かかる時計用文字板を備える時計、および、時計用植字の製造方法を提供する。【解決手段】時計用植字４は、貴石４１と、貴石４１の表面に設けられためっき層４２と、めっき層４２に設けられた金属ピン４３と、を備える。また、時計用植字４では、金属ピン４３は、時計用文字板２となり得る板状の文字板３に時計用植字４が設置された際に、貴石４１を文字板３に対して固定する固定機能を有するのが好ましい。【選択図】図１２
2019164044.tif 000002
【特許請求の範囲】
【請求項１】
貴石と、
前記貴石の表面に設けられためっき層と、
前記めっき層に設けられた金属ピンと、を備えることを特徴とする時計用植字。
【請求項２】
前記金属ピンは、前記貴石を文字板に固定することを特徴とする請求項１に記載の時計用植字。
【請求項３】
前記金属ピンは、変形することにより、前記文字板に固定することを特徴とする請求項２に記載の時計用植字。
【請求項４】
前記めっき層は、クロムで構成されていることを特徴とする請求項１ないし３のいずれか１項に記載の時計用植字。
【請求項５】
前記貴石は、水晶であることを特徴とする請求項１ないし４のいずれか１項に記載の時計用植字。
【請求項６】
請求項１ないし５のいずれか１項に記載の時計用植字を備えることを特徴とする時計用文字板。
【請求項７】
請求項６に記載の時計用文字板を備えることを特徴とする時計。
【請求項８】
貴石と、前記貴石の表面に設けられためっき層と、前記めっき層に設けられた金属ピンと、を備える時計用植字を製造する方法であって、
前記貴石の表面に前記めっき層を形成するめっき層形成工程と、
前記めっき層上に、前記めっき層まで貫通する貫通孔を有するレジスト層をフォトリソグラフィー法により形成するレジスト層形成工程と、
前記貫通孔内に前記金属ピンを形成する金属ピン形成工程と、を有することを特徴とする時計用植字の製造方法。
【発明の詳細な説明】
【技術分野】
【０００１】
本発明は、時計用植字、時計用文字板、時計および時計用植字の製造方法に関する。
【背景技術】
【０００２】
腕時計等の時計には、文字板が内蔵されている。この文字板としては、例えば、文字板本体と、文字板本体に固定された時刻表示部材（略字部材）とを備えるものが知られている（例えば、特許文献１参照）。特許文献１に記載の時刻表示部材は、棒状をなす表示部材本体と、表示部材本体の外周部にピン状に突出形成された固定用足とを有している。このような構成の時刻表示部材は、表示部材本体と固定用足とが電鋳によって一体的に形成されている。
【先行技術文献】
【特許文献】
【０００３】
【特許文献１】特開２００６−０２９９７６号公報
【発明の概要】
【発明が解決しようとする課題】
【０００４】
しかしながら、特許文献１に記載の時刻表示部材では、当該時刻表示部材の製造に電鋳を用いるため、時刻表示部材の構成材料が限定されてしまう。例えば表示部材本体を貴石で構成したい場合、表示部材本体と固定用足とを電鋳によって一体的に形成するのは、困難であり、時刻表示部材の製造が容易ではない。
【０００５】
本発明の目的は、貴石を備える時計用植字を製造する際、その製造を容易に行なうことが可能な構造を有する時計用植字、かかる時計用植字を備える時計用文字板、かかる時計用文字板を備える時計、および、時計用植字の製造方法を提供することにある。
【課題を解決するための手段】
【０００６】
本発明は、上述の課題を解決するためになされたものであり、以下のものとして実現することが可能である。
【０００７】
本発明の時計用植字は、貴石と、
前記貴石の表面に設けられためっき層と、
前記めっき層に設けられた金属ピンと、を備えることを特徴とする。
【０００８】
本発明の時計用文字板は、本発明の時計用植字を備えることを特徴とする。
本発明の時計は、本発明の時計用文字板を備えることを特徴とする。
【０００９】
本発明の時計用植字の製造方法は、貴石と、前記貴石の表面に設けられためっき層と、前記めっき層に設けられた金属ピンと、を備える時計用植字を製造する方法であって、
前記貴石の表面に前記めっき層を形成するめっき層形成工程と、
前記めっき層上に、前記めっき層まで貫通する貫通孔を有するレジスト層をフォトリソグラフィー法により形成するレジスト層形成工程と、
前記貫通孔内に前記金属ピンを形成する金属ピン形成工程と、を有することを特徴とする。
【図面の簡単な説明】
【００１０】
【図１】図１は、本発明の時計を腕時計に適用した場合の実施形態を示す斜視図である。
【図２】図２は、図１中の矢印Ａ方向から見た図である。
【図３】図３は、図１に示す腕時計が備える時計用植字を製造する過程を順に示す縦断面図である。
【図４】図４は、図１に示す腕時計が備える時計用植字を製造する過程を順に示す縦断面図である。
【図５】図５は、図１に示す腕時計が備える時計用植字を製造する過程を順に示す縦断面図である。
【図６】図６は、図１に示す腕時計が備える時計用植字を製造する過程を順に示す縦断面図である。
【図７】図７は、図１に示す腕時計が備える時計用植字を製造する過程を順に示す縦断面図である。
【図８】図８は、図１に示す腕時計が備える時計用植字を製造する過程を順に示す縦断面図である。
【図９】図９は、図１に示す腕時計が備える時計用植字を製造する過程を順に示す縦断面図である。
【図１０】図１０は、図１に示す腕時計が備える時計用文字板を製造する過程を順に示す縦断面図である。
【図１１】図１１は、図１に示す腕時計が備える時計用文字板を製造する過程を順に示す縦断面図である。
【図１２】図１２は、図１に示す腕時計が備える時計用文字板を製造する過程を順に示す縦断面図（図２中のＡ−Ａ線断面図）である。
【図１３】図１３は、図１に示す腕時計が備える時計用植字を製造する過程を説明するフローチャートである。
【発明を実施するための形態】
【００１１】
以下、本発明の時計用植字、時計用文字板、時計および時計用植字の製造方法を添付図面に示す好適な実施形態に基づいて詳細に説明する。
【００１２】
図１は、本発明の時計を腕時計に適用した場合の実施形態を示す斜視図である。図２は、図１中の矢印Ａ方向から見た図である。図３〜図９は、それぞれ、図１に示す腕時計が備える時計用植字を製造する過程を順に示す縦断面図である。図１０〜図１２は、それぞれ、図１に示す腕時計が備える時計用文字板を製造する過程を順に示す縦断面図である。図１３は、図１に示す腕時計が備える時計用植字を製造する過程を説明するフローチャートである。なお、以下では、説明の都合上、腕時計の時刻が表示される側（カバーガラス側）を「表」、腕に装着される側（裏蓋側）を「裏」と言う。また、図３〜図１２中の上側を「上」、下側を「下」と言うことがある。
【００１３】
図１２に示すように、本発明の時計用植字（インデックス）４は、貴石４１と、貴石４１の裏側の面４１２（表面）に設けられためっき層４２と、めっき層４２からピン状に突出した金属ピン４３と、を備える。
【００１４】
例えば電鋳を用いた製造方法では、時計用植字４を構成する構成材料が限られてしまうことが考えられる。そのため、電鋳を用いた製造方法で、貴石４１と金属ピン４３とを備える時計用植字４を製造するのは不可能である。
【００１５】
本発明の時計用植字４では、めっき層４２を介して貴石４１と金属ピン４３とを連結した構造となっている。このような構造により、後述するように、貴石４１上に形成されためっき層４２に、さらに、金属ピン４３を突出形成させるという製造方法を用いることができる。これにより、貴石４１と金属ピン４３とを備える時計用植字４を容易に製造することができる。
【００１６】
また、図２、図１２に示すように、本発明の時計用文字板２は、板状をなす文字板本体（文字板）３と、文字板本体３に設置される、本発明の時計用植字４と、を備える。前述した時計用植字４の利点を持つ時計用文字板２が得られる。
【００１７】
また、図１、図２に示すように、本発明の時計１は、本発明の時計用文字板２を備える。これにより、時計１の使用者は、時計用文字板２により時刻を認識することができる。
【００１８】
以下、各部の構成について説明する。
図１に示す時計１は、胴（ケース）１１と、裏蓋１３と、カバーガラス（風防）１５と、バンド１６とを備えている。また、時計１の内部空間、すなわち、胴１１と裏蓋１３とカバーガラス１５とで囲まれた空間には、ムーブメント１０や時計用文字板２等が収納されている。
【００１９】
ムーブメント１０には、時針１０１、分針１０２、秒針１０３が回転可能に支持されており、ムーブメント１０とともに時計１内に収納されている。また、胴１１の外周部には、巻真１０４を介してムーブメント１０に連結されたりゅうず１２が時計１の外側に引出可能に挿入されている。このりゅうず１２を１段位置に引き出すと、時計１が時刻修正モードに設定され、別途設けられたスイッチ（図示せず）を押下操作することにより時針１０１および分針１０２の位置を調整することができる。なお、りゅうず１２を回転可能に挿入し、このりゅうず１２を、例えば１段位置に引き出し、かつ、回転操作することにより、その回転力がムーブメント１０に伝達されて、時針１０１および分針１０２の位置を調整することができるようにしてもよい。
【００２０】
図２に示すように、時計用文字板２は、文字板本体３と、文字板本体３に設置された複数（図示では１２個）の時計用植字４と、を備えている。
【００２１】
文字板本体３は、円形をなす板部材で構成されている。なお、文字板本体３の平面形状としては、本実施形態では円形であるが、これに限定されず、例えば、楕円形、四角形等のような多角形、これらを組み合わせた形状等であってもよい。
【００２２】
文字板本体３の中心部には、貫通孔（第１貫通孔）３１が形成されている。この貫通孔３１には、時針１０１、分針１０２、秒針１０３を支持する回動軸（図示せず）が挿通している。
【００２３】
また、図１０〜図１２に示すように、文字板本体３には、各時計用植字４が配置される位置に、時計用植字４の金属ピン４３が挿通する貫通孔（第２貫通孔）３２が形成されている。
【００２４】
文字板本体３の構成材料としては、特に限定されず、例えば、アルミニウム等のような金属材料、ポリカーボネート等のような樹脂材料等を用いることができる。
【００２５】
また、文字板本体３は、単層のものであってもよいし、複数の層を有する積層体であってもよい。
【００２６】
文字板本体３の厚さｔ３（図１０参照）としては、特に限定されず、例えば、０．５ｍｍ以上２ｍｍ以下であるのが好ましく、０．５ｍｍ以上１ｍｍ以下であるのがより好ましい。
【００２７】
文字板本体３上には、１２個の時計用植字４が固定されている。これらの時計用植字４は、略字であり、文字板本体３の中心から放射状に延びた棒状（バーインデックス）をなしている。そして、これらの時計用植字４は、文字板本体３の中心（貫通孔３１）回りに等角度間隔に配置されている。なお、時計用植字４の配置数は、本実施形態では１２個であるが、これに限定されず、例えば、時計１（時計用文字板２）のデザインに応じて、適宜変更することができる。また、時計用植字４は、略字に限定されず、例えば、算用数字（アラビア数字）やローマ数字等のような数字あってもよい。また、略字と数字との組み合わせであってもよい。
【００２８】
各時計用植字４は、文字板本体３上での配置箇所が異なること以外は、同じ構成であるため、以下、代表的に１つの時計用植字４について説明する。
【００２９】
図１２（図９〜図１１についても同様）に示すように、時計用植字４は、小片状をなす貴石４１と、貴石４１に形成されためっき層４２と、めっき層４２から突出形成された金属ピン４３と、を備えている。
【００３０】
貴石４１としては、特に限定されず、例えば、「四大宝石」と言われているダイヤモンド、ルビー、サファイア、エメラルドの他に、水晶、アメジスト等のような半貴石であってもよい。また、貴石４１は、天然石でも人造石でもよく、さらには、ガラスであってもよい。このような貴石４１により、時計１の審美性が高まり、高級感が得られる。そして、本実施形態では、貴石４１は、これらの中でも、水晶であるのが好ましい。水晶は、後述するクロムで構成されためっき層４２との密着性に優れる。これにより、めっき層４２が貴石４１から剥離するのを防止することができ、よって、めっき層４２から突出した金属ピン４３を介して貴石４１が文字板本体３上に安定して固定された状態となり、時計１を長期的に使用することができる。
【００３１】
この貴石４１は、小片状（板片状）をなすものである。貴石４１の表側の面４１１は、本実施形態では平面であるが、これに限定されず、一部または全体が湾曲していてもよい。また、貴石４１の裏側の面４１２は、平面である。また、貴石４１の各側面４１３は、本実施形態では平面であるが、これに限定されず、一部または全体が湾曲していてもよい。
【００３２】
なお、貴石４１の全長Ｌ４１（図２参照）は、時計１の大きさにもよるが、例えば、１ｍｍ以上７ｍｍ以下であるのが好ましく、２ｍｍ以上５ｍｍ以下であるのがより好ましい。
【００３３】
貴石４１の幅Ｗ４１（図９参照）も、時計１の大きさにもよるが、例えば、０．５ｍｍ以上５ｍｍ以下であるのが好ましく、１ｍｍ以上２ｍｍ以下であるのがより好ましい。また、幅Ｗ４１は、本実施形態では貴石４１の長手方向（全長Ｌ４１）に沿って一定であるが、これに限定されず、変化していてもよい。
【００３４】
貴石４１の厚さｔ４１（図９参照）も、時計１の大きさにもよるが、例えば、０．５ｍｍ以上５ｍｍ以下であるのが好ましく、０．５ｍｍ以上２ｍｍ以下であるのがより好ましい。また、厚さｔ４１は、本実施形態では貴石４１の長手方向（全長Ｌ４１）に沿って一定であるが、これに限定されず、変化していてもよい。
【００３５】
貴石４１の裏側の面４１２の全体には、めっき層４２が形成されている。このめっき層４２は、貴石４１と金属ピン４３とを連結する連結部として機能する部分である。また、めっき層４２は、貴石４１に対して金属ピン４３を支持する支持部として機能する部分であると言うこともできる。
【００３６】
めっき層４２は、クロム（Ｃｒ）で構成されているもの、すなわち、クロムめっきであるのが好ましい。例えば貴石４１が水晶で構成されている場合、めっき層４２は、クロムで構成されていることにより、貴石４１（水晶）との密着性に優れる。これにより、前述したように、めっき層４２が貴石４１から剥離するのを防止することができ、よって、めっき層４２から突出した金属ピン４３を介して貴石４１が文字板本体３上に安定して固定された状態となる。これにより、時計１を長期的に使用することができる。
【００３７】
なお、めっき層４２は、主にクロムで構成されているのが好ましいが、これに限定されず、例えば、ニッケルめっき、クロム、ニッケル、鉄、その他の金属を含む合金めっき等で構成されていてもよい。
【００３８】
また、めっき層４２の厚さｔ４２（図９参照）としては、特に限定されず、例えば、５μｍ以上１００μｍ以下であるのが好ましく、５μｍ以上５０μｍ以下であるのがより好ましい。このような大きさの厚さｔ４２により、めっき層４２は、前記機能（連結機能や支持機能）を十分に発揮することができる。また、厚さｔ４２は、貴石４１の長手方向に沿って一定であるのが好ましい。
【００３９】
また、貴石４１が透明性を有するもの（例えば水晶）の場合、貴石４１を介してめっき層４２の金属光沢を視認することができる。これにより、貴石４１の光沢と、めっき層４２の光沢とが相まって、時計用植字４全体としての審美性が高まり、時計１は、高級感を有するものとなる。
【００４０】
なお、めっき層４２は、２層以上の積層体であってもよい。この場合、例えば、第１のめっき層と、第１のめっき層とは組成が異なる第２のめっき層の積層体が挙げられる。
【００４１】
めっき層４２の裏側の面４２２には、ピン状をなす金属ピン４３が突出形成されている。なお、金属ピン４３の形成位置は、裏側の面４２２の中央部（中心部）が好ましいが、これに限定されない。また、金属ピン４３の形成数は、本実施形態では１つであるが、これに限定されず、複数であってもよい。金属ピン４３の形成数が複数の場合、これらの金属ピン４３は、等間隔に配置されているのが好ましい。
【００４２】
金属ピン４３は、前述した時計用文字板２の一部となり得る板状の文字板本体３に時計用植字４が設置された際に、貴石４１を文字板本体３に固定する。図１１に示すように、金属ピン４３は、文字板本体３の貫通孔３２を挿通した状態で、文字板本体３の裏面側に突出した部分（突出部４３１）を、例えばカシメ用工具２０で塑性変形させることができる。そして、図１２に示すように、突出部４３１が塑性変形してなる変形部４３２は、文字板本体３の裏側に係合することができる。この係合により、時計用植字４（貴石４１）が文字板本体３に対して固定される。このように金属ピン４３は、塑性変形すること、すなわち、本実施形態ではカシメにより、文字板本体３に固定される（金属ピン４３の固定機能を発揮することができる）。これにより、金属ピン４３を塑性変形させるという簡単な方法で、時計用植字４を文字板本体３に対して固定することができる。
【００４３】
以上のように金属ピン４３は、貴石４１を文字板本体３に対して固定する固定機能を有する部分となっているが、これに限定されない。例えば、金属ピン４３は、貴石４１を文字板本体３に対して位置決めする位置決め機能を有する部分となっていてもよいし、固定機能と位置決め機能と双方を有する部分となっていてもよい。また、金属ピン４３が位置決め機能を有する場合、時計用植字４の固定方法としては、特に限定されず、例えば、接着（接着剤や溶媒による接着）よる方法を用いることができる。
【００４４】
なお、金属ピン４３は、めっき層４２がクロムで構成されている場合、めっき層４２と同様に、クロムで構成されているのが好ましい。これにより、金属ピン４３は、めっき層４２との親和性が高まり、よって、めっき層４２に強固に一体的に形成される。これにより、金属ピン４３がめっき層４２から破断して離脱するのが防止され、よって、時計用植字４が文字板本体３に対して長期的に安定して固定された状態を維持することができる。
【００４５】
変形前の金属ピン４３の突出長さＬ４３（図９参照）は、文字板本体３の厚さｔ３よりも大きい。この突出長さＬ４３としては、厚さｔ３にもよるが、例えば、１ｍｍ以上５ｍｍ以下であるのが好ましく、２ｍｍ以上３ｍｍ以下であるのがより好ましい。
【００４６】
また、変形前の金属ピン４３の外径φｄ４３（図９参照）は、０．５ｍｍ以上１．５ｍｍ以下であるのが好ましく、０．５ｍｍ以上１ｍｍ以下であるのがより好ましい。なお、外径φｄ４３は、金属ピン４３の突出方向に沿って一定であるのが好ましいが、これに限定されない。
【００４７】
金属ピン４３がこのような大きさを有することにより、文字板本体３に対する時計用植字４の固定時に、金属ピン４３を容易かつ正確に塑性変形させることができる。
【００４８】
次に、時計用植字４の製造方法について、図３〜図９を参照しつつ説明する。
本発明の時計用植字４の製造方法は、貴石４１と、貴石４１の裏側の面４１２（表面）に設けられためっき層４２と、めっき層４２からピン状に突出した金属ピン４３と、を備える時計用植字４を製造する方法である。この製造方法は、貴石４１の裏側の面４１２（表面）にめっき層４２を形成するめっき層形成工程と、めっき層４２上に、めっき層４２まで貫通する貫通孔５１を有するレジスト層５をフォトリソグラフィー法により形成するレジスト層形成工程と、貫通孔５１内に金属ピン４３を形成する金属ピン形成工程と、を有する（図１３参照）。これにより、貴石４１を備える時計用植字４を製造する際、その製造を容易に行なうことが可能な構造、すなわち、貴石４１とめっき層４２と金属ピン４３とを備える構造を有する時計用植字４が得られる。
【００４９】
なお、時計用植字４の製造方法は、めっき層形成工程、レジスト層形成工程、金属ピン形成工程の他に、さらに、準備工程と、レジスト層除去工程とを有する（図１３参照）。
【００５０】
［Ａ１］準備工程
まず、図３に示すように、貴石４１を準備する。
【００５１】
［Ａ２］めっき層形成工程
次いで、図４に示すように、貴石４１の裏側の面４１２にめっき層４２を形成する。この形成方法としては、特に限定されず、例えば、湿式めっき法、乾式めっき法、または、これらを組み合わせた方法等を用いることができる。
【００５２】
［Ａ３］レジスト層形成工程
次いで、図５に示すように、めっき層４２の裏側の面４２２にレジスト層５を形成する。この形成方法としては、特に限定されず、例えば、レジスト材料を塗布する塗布法等を用いることができる。そして、レジスト材料の塗布後、このレジスト材料を乾燥させて、レジスト層５を得る。なお、このレジスト層５の厚さｔ５は、金属ピン４３の突出長さＬ４３よりも大きくなっている。
【００５３】
次いで、図６に示すように、レジスト層５上にマスク６を設置する。このマスク６には、貫通孔６１が形成されている。貫通孔６１の位置は、平面視で、めっき層４２に金属ピン４３が形成される位置と重なっている。そして、マスク６の上側から露光光ＥＬ（紫外線）を照射する。これにより、図７に示すように、レジスト層５には、マスク６の貫通孔６１を介して露光された部分に、めっき層４２まで貫通する貫通孔５１が形成される。
【００５４】
［Ａ４］金属ピン形成工程
次いで、図８に示すように、レジスト層５の貫通孔５１内に金属ピン４３を形成する。この形成方法としては、特に限定されず、例えば、湿式めっき法、乾式めっき法、または、これらを組み合わせた方法等を用いることができる。
【００５５】
［Ａ５］レジスト層除去工程
次いで、図９に示すように、レジスト層５を除去する。これにより、時計用植字４が得られる。
【００５６】
ところで、従来のような電鋳を用いた製造方法では、時計用植字４を構成する構成材料が限られてしまう。従って、電鋳を用いた製造方法で、貴石４１と金属ピン４３とを備える時計用植字４を製造するのは不可能である。
【００５７】
これに対し、以上のような工程を経ることにより、貴石４１と金属ピン４３とを備える時計用植字４を容易に製造することができる。
【００５８】
次に、時計用文字板２の製造方法について、図１０〜図１２を参照しつつ説明する。
この時計用文字板２の製造方法は、第１工程と、第２工程と、第３工程とを有する。
【００５９】
［Ｂ１］第１工程
図１０に示すように、時計用植字４を図９に示す状態から上下反転させる。そして、この時計用植字４の金属ピン４３を、文字板本体３の貫通孔３２の表側から挿入する。
【００６０】
［Ｂ２］第２工程
次いで、図１１に示すように、時計用植字４の金属ピン４３が文字板本体３の裏側に突出した状態とし、突出部４３１に対してカシメ用工具２０を押し付けて加工する。
【００６１】
［Ｂ３］第３工程
次いで、図１２に示すように、時計用植字４の金属ピン４３に変形部４３２が形成された後、カシメ用工具２０による加工を停止する。
【００６２】
このような第１工程〜第３工程を、１２個の時計用植字４に対して行なえば、各時計用植字４が文字板本体３に固定された時計用文字板２が得られる。
【００６３】
以上、本発明の時計用植字、時計用文字板、時計および時計用植字の製造方法を図示の実施形態について説明したが、本発明は、これに限定されるものではない。また、時計用植字、時計用文字板、時計を構成する各部は、同様の機能を発揮し得る任意の構成のものと置換することができる。また、任意の構成物が付加されていてもよい。
【符号の説明】
【００６４】
１…時計、２…時計用文字板、３…文字板本体（文字板）、３１…貫通孔（第１貫通孔）、３２…貫通孔（第２貫通孔）、４…時計用植字、４１…貴石、４１１…表側の面、４１２…裏側の面、４１３…側面、４２…めっき層、４２２…裏側の面、４３…金属ピン、４３１…突出部、４３２…変形部、５…レジスト層、５１…貫通孔、６…マスク、６１…貫通孔、１０…ムーブメント、１０１…時針、１０２…分針、１０３…秒針、１０４…巻真、１１…胴（ケース）、１２…りゅうず、１３…裏蓋、１５…カバーガラス（風防）、１６…バンド、２０…カシメ用工具、ＥＬ…露光光、Ｌ４１…全長、Ｌ４３…突出長さ、ｔ３…厚さ、ｔ４１…厚さ、ｔ４２…厚さ、ｔ５…厚さ、Ｗ４１…幅
【図１】
2019164044.tif 000003
【図２】
2019164044.tif 000004
【図３】
2019164044.tif 000005
【図４】
2019164044.tif 000006
【図５】
2019164044.tif 000007
【図６】
2019164044.tif 000008
【図７】
2019164044.tif 000009
【図８】
2019164044.tif 000010
【図９】
2019164044.tif 000011
【図１０】
2019164044.tif 000012
【図１１】
2019164044.tif 000013
【図１２】
2019164044.tif 000014
【図１３】
2019164044.tif 000015